(57)【特許請求の範囲】
【請求項１】
端末デバイスであって、
基地局によって送信された第1のアップリンク・リソース・スケジューリング情報を受信するように構成された受信モジュールであって、前記第1のアップリンク・リソース・スケジューリング情報は前記端末デバイスに割り振られた第1のアップリンクリソースを指示するのに用いられる、前記受信モジュールと、
前記第1のアップリンクリソースが前記端末デバイスのバッファ状態報告(BSR)全体を搬送することができるかどうか判定するように構成された、処理モジュールと、
前記処理モジュールが前記第1のアップリンクリソースは前記端末デバイスの前記BSR全体を搬送することができないと判定した場合、前記第1のアップリンクリソース上で前記基地局へ前記端末デバイスの前記BSR全体の第1の部分を送信するように構成された送信モジュールであって、前記第1の部分は前記端末デバイスの前記BSR全体を含まない、前記送信モジュールと、
を含み、
前記処理モジュールは、前記端末デバイスが自律リソース選択モードから基地局ベースのリソース・スケジューリング・モードに切り替わったときに、前記端末デバイスの現在のデバイス・ツー・デバイス(D2D)論理チャネル上に送信すべきデータがある場合に、正規BSRの報告をトリガする、ように構成されている、
端末デバイス。
【請求項２】
前記受信モジュールは前記基地局によって送信された第2のアップリンク・リソース・スケジューリング情報を受信するようにさらに構成されており、前記第2のアップリンク・リソース・スケジューリング情報は前記端末デバイスに割り振られた第2のアップリンクリソースを指示するのに用いられ、
前記送信モジュールは前記第2のアップリンクリソース上で前記基地局へ前記端末デバイスの前記BSR全体の第2の部分を送信するようにさらに構成されている、請求項1に記載の端末デバイス。
【請求項３】
前記第2の部分は前記第1の部分を除く前記端末デバイスの前記BSR全体の他の部分を含む、請求項1または2に記載の端末デバイス。
【請求項４】
前記送信モジュールは、前記基地局へ、送信されたのが前記BSR全体ではないことを指示する情報を送信する、ようにさらに構成されている、請求項1から3のいずれか一項に記載の端末デバイス。
【請求項５】
前記処理モジュールは、スケジューリング要求(SR)の報告をトリガする、ようにさらに構成されており、
前記送信モジュールは前記処理モジュールがSRの前記報告をトリガした後で前記基地局へ第1のSRを送信するようにさらに構成されており、SRの前記報告は前記処理モジュールが正規BSRの報告をトリガしたときに前記端末デバイスのBSRを送信するのに用いられるアップリンクリソースがない場合にトリガされる、請求項1から4のいずれか一項に記載の端末デバイス。
【請求項６】
前記処理モジュールは、前記送信モジュールが前記基地局へ前記端末デバイスの前記BSR全体を送信し終えたときに、すでにトリガしたSRの報告または正規BSRの報告を取り消す、ようにさらに構成されている、請求項5に記載の端末デバイス。
【請求項７】
前記処理モジュールは、前記端末デバイスが基地局ベースのリソース・スケジューリング・モードから自律リソース選択モードに切り替わったときに、すでにトリガしたBSRの報告を取り消す、ようにさらに構成されている、請求項1から6のいずれか一項に記載の端末デバイス。
【請求項８】
前記BSRはD2D BSRを含む、請求項1から7のいずれか一項に記載の端末デバイス。
【請求項９】
基地局であって、
端末デバイスへ第1のアップリンク・リソース・スケジューリング情報を送信するように構成された送信モジュールであって、前記第1のアップリンク・リソース・スケジューリング情報は前記端末デバイスに割り振られた第1のアップリンクリソースを指示するのに用いられる、前記送信モジュールと、
前記第1のアップリンクリソースが前記端末デバイスのバッファ状態報告(BSR)全体を搬送することができない場合、前記端末デバイスの前記BSR全体の、前記第1のアップリンクリソース上で前記端末デバイスによって送信された第1の部分を受信するように構成された受信モジュールであって、前記第1の部分は前記端末デバイスの前記BSR全体を含まない、前記受信モジュールと、
前記端末デバイスに前記第1のアップリンクリソースを割り振るように構成された、処理モジュールと、
を含み、
前記端末デバイスが自律リソース選択モードから基地局ベースのリソース・スケジューリング・モードに切り替わったときに、前記端末デバイスの現在のデバイス・ツー・デバイス(D2D)論理チャネル上に送信すべきデータがある場合に、正規BSRの報告をトリガする、
基地局。
【請求項１０】
前記送信モジュールは前記端末デバイスへ第2のアップリンク・リソース・スケジューリング情報を送信するようにさらに構成されており、前記第2のアップリンク・リソース・スケジューリング情報は前記端末デバイスに割り振られた第2のアップリンクリソースを指示するのに用いられ、
前記受信モジュールは前記端末デバイスの前記BSR全体の、前記第2のアップリンクリソース上で前記端末デバイスによって送信された第2の部分を受信するようにさらに構成されており、
前記処理モジュールは前記端末デバイスに前記第2のアップリンクリソースを割り振るように構成されている、
請求項9に記載の基地局。
【請求項１１】
前記第2の部分は前記第1の部分を除く前記端末デバイスの前記BSR全体の他の部分を含む、請求項9または10に記載の基地局。
【請求項１２】
前記送信モジュールは、前記端末デバイスによって送信された、送信されたのが前記BSR全体ではないことを指示する情報を受信する、ようにさらに構成されている、請求項9から11のいずれか一項に記載の基地局。
【請求項１３】
前記BSRはデバイス・ツー・デバイス(D2D) BSRを含む、請求項9から12のいずれか一項に記載の基地局。
【請求項１４】
バッファ状態報告を報告するための方法であって、
端末デバイスが、基地局によって送信された第1のアップリンク・リソース・スケジューリング情報を受信するステップであって、前記第1のアップリンク・リソース・スケジューリング情報は前記端末デバイスに割り振られた第1のアップリンクリソースを指示するのに用いられる、前記ステップと、
前記第1のアップリンクリソースが前記端末デバイスのバッファ状態報告(BSR)全体を搬送することができない場合、前記端末デバイスが、前記第1のアップリンクリソース上で前記基地局へ前記端末デバイスの前記BSR全体の第1の部分を送信するステップであって、前記第1の部分は前記端末デバイスの前記BSR全体を含まない、前記ステップと、
を含み、
前記方法は、
前記端末デバイスが自律リソース選択モードから基地局ベースのリソース・スケジューリング・モードに切り替わったときに、前記端末デバイスの現在のデバイス・ツー・デバイス(D2D)論理チャネル上に送信すべきデータがある場合に、前記端末デバイスが、正規BSRの報告をトリガするステップ、
を含むことを特徴とする、
方法。
【請求項１５】
前記端末デバイスが、前記基地局によって送信された第2のアップリンク・リソース・スケジューリング情報を受信するステップであって、前記第2のアップリンク・リソース・スケジューリング情報は前記端末デバイスに割り振られた第2のアップリンクリソースを指示するのに用いられる、前記ステップと、
前記端末デバイスが、前記第2のアップリンクリソース上で前記基地局へ前記端末デバイスの前記BSR全体の第2の部分を送信するステップと、
を含む、請求項14に記載の方法。
【請求項１６】
前記第2の部分は前記第1の部分を除く前記端末デバイスの前記BSR全体の他の部分を含む、請求項14または15に記載の方法。
【請求項１７】
前記端末デバイスが、前記端末デバイスが前記基地局へ、送信されたのが前記BSR全体ではないことを指示する情報を送信するステップ、をさらに含む、請求項14から16のいずれか一項に記載の方法。
【請求項１８】
前記端末デバイスが、スケジューリング要求(SR)の報告をトリガし、前記基地局へ第1のSRを送信するステップであって、SRの前記報告は、前記端末デバイスが正規BSRの報告をトリガしたときに前記端末デバイスのBSRを送信するのに用いられるアップリンクリソースがない場合にトリガされる、前記ステップ、
をさらに含む、請求項14から17のいずれか一項に記載の方法。
【請求項１９】
前記方法は、
前記端末デバイスが前記基地局へ前記端末デバイスの前記BSR全体を送信し終えたときに、前記端末デバイスが、すでにトリガしたSRの報告または正規BSRの報告を取り消すステップ、
をさらに含む、請求項14から18のいずれか一項に記載の方法。
【請求項２０】
前記方法は、
前記端末デバイスが基地局ベースのリソース・スケジューリング・モードから自律リソース選択モードに切り替わったときに、前記端末デバイスが、すでにトリガされたBSRの報告を取り消すステップ、
をさらに含む、請求項14から18のいずれか一項に記載の方法。
【請求項２１】
前記BSRはD2D BSRを含む、請求項14から20のいずれか一項に記載の方法。
【請求項２２】
バッファ状態報告を報告するための方法であって、
基地局が、端末デバイスへ第1のアップリンク・リソース・スケジューリング情報を送信するステップであって、前記第1のアップリンク・リソース・スケジューリング情報は前記端末デバイスに割り振られた第1のアップリンクリソースを指示するのに用いられる、前記ステップと、
前記第1のアップリンクリソースが前記端末デバイスのバッファ状態報告(BSR)全体を搬送することができない場合、前記基地局が、前記端末デバイスの前記BSR全体の、前記第1のアップリンクリソース上で前記端末デバイスによって送信された第1の部分を受信するステップであって、前記第1の部分は前記端末デバイスの前記BSR全体を含まない、前記ステップと、
を含み、
前記端末デバイスが自律リソース選択モードから基地局ベースのリソース・スケジューリング・モードに切り替わったときに、前記端末デバイスの現在のデバイス・ツー・デバイス(D2D)論理チャネル上に送信すべきデータがある場合に、正規BSRの報告をトリガする、方法。
【請求項２３】
前記基地局が、前記端末デバイスへ第2のアップリンク・リソース・スケジューリング情報を送信するステップであって、前記第2のアップリンク・リソース・スケジューリング情報は前記端末デバイスに割り振られた第2のアップリンクリソースを指示するのに用いられる、前記ステップと、
前記基地局が、前記端末デバイスの前記BSR全体の、前記第2のアップリンクリソース上で前記端末デバイスによって送信された第2の部分を受信するステップと、
を含む、請求項22に記載の方法。
【請求項２４】
前記第2の部分は前記第1の部分を除く前記端末デバイスの前記BSR全体の他の部分を含む、請求項22に記載の方法。
【請求項２５】
前記基地局が、前記端末デバイスによって送信された、送信されたのが前記BSR全体ではないことを指示する情報を受信するステップ、
をさらに含む、請求項23または24に記載の方法。
【請求項２６】
前記BSRはデバイス・ツー・デバイス(D2D) BSRを含む、請求項23から25のいずれか一項に記載の方法。
【請求項２７】
端末デバイス内のプロセッサに請求項14から21のいずれか一項に記載の方法を実行させるプログラム。
【請求項２８】
基地局内のプロセッサに請求項22から26のいずれか一項に記載の方法を実行させるプログラム。
【請求項２９】
プロセッサによって実行される時、請求項14から21のいずれか一項に記載のステップを実行することを特徴とするプログラムを記録したコンピュータ読み取り可能な記録媒体。
【請求項３０】
プロセッサによって実行される時、請求項22から26のいずれか一項に記載のステップを実行することを特徴とするプログラムを記録したコンピュータ読み取り可能な記録媒体。
【発明の詳細な説明】
【技術分野】
【０００１】
本発明の実施形態は、無線通信技術の分野に関し、特に、バッファ状態報告を報告するための方法および装置に関する。
【背景技術】
【０００２】
デバイス・ツー・デバイス（Device to Device、D2D）通信技術とは端末間の直接通信のための技術である。D2D通信技術とセルラ通信技術との違いは、D2D通信時に端末によって送信されるデータは基地局を用いて送信されなくてもよく、端末間のエアインターフェースを用いて直接送信され、それによって基地局を用いてデータを転送する際の遅延が低減される。
【０００３】
D2D通信を行う端末はD2Dデバイスと呼ばれることもあり、複数のD2Dデバイスが1つのD2D通信グループを形成し、同じD2D通信グループ内のD2Dデバイスは相互にD2D通信を行う。D2Dデバイスには、基地局ベースのリソース・スケジューリング・モード（第1のモード）と自律リソース選択モード（第2のモード）という、2つのリソース・スケジューリング・モードがある。基地局ベースのリソース・スケジューリング・モードでは、D2Dデバイスがデータ伝送を行うために用いるリソースがセルラネットワークにおいて基地局によってスケジュールされる。D2Dデバイスには、バッファ状態報告（Buffer Status Report、BSR）を用いて基地局に、送信すべきD2Dデータの量を報告する必要があり、基地局はBSRにおけるデータの量に従ってD2Dデバイスのための対応するリソースをスケジュールする。基地局にBSRを報告するために、D2Dデバイスには特定のアップリンクリソースを用いる必要もあり、そのアップリンクリソースも基地局によってD2Dデバイスに割り振られる。
【０００４】
D2D通信の1つの特徴は、D2Dデバイスが複数の他のD2Dデバイス（または複数のD2D通信グループ）と同時に通信することができることである。したがって、D2Dデバイスによって報告されるBSRはD2Dデバイスと複数の他のD2Dデバイス（または複数のD2D通信グループ）との間の通信のデータ量を含み、D2D BSRを送信するのに必要とされるアップリンクリソースが比較的大きくなる場合もある。基地局ベースのリソース・スケジューリング・モードでは、BSRを送信するのに用いられ、基地局によってD2Dデバイスに割り振られるアップリンクリソースが限られており、そのためD2Dデバイスが基地局へBSR全体に関する情報を送信することができなくなることもある。
【発明の概要】
【課題を解決するための手段】
【０００５】
本発明の実施形態は、UEにBSR全体を報告させるのに用いられる、バッファ状態報告を報告するための方法および装置を提供する。
【０００６】
第1の態様はユーザ機器を提供し、本UEは、
基地局によって送信された第1のアップリンク・リソース・スケジューリング情報を受信するように構成された受信モジュールであって、第1のアップリンク・リソース・スケジューリング情報はUEに割り振られた第1のアップリンクリソースを指示するのに用いられる、受信モジュールと、
第1のアップリンクリソースがUEのBSR全体を搬送することができるかどうか判定するように構成された、処理モジュールと、
処理モジュールが第1のアップリンクリソースはUEのBSR全体を搬送することができないと判定した場合、第1のアップリンクリソース上で基地局へUEのBSR全体の第1の部分を送信するように構成された送信モジュールであって、第1の部分はUEのBSR全体を含まない、送信モジュールと、
を含み、
受信モジュールは基地局によって送信された第2のアップリンク・リソース・スケジューリング情報を受信するようにさらに構成されており、第2のアップリンク・リソース・スケジューリング情報はUEに割り振られた第2のアップリンクリソースを指示するのに用いられ、
送信モジュールは第2のアップリンクリソース上で基地局へUEのBSR全体の第2の部分を送信するようにさらに構成されている。
【０００７】
第1の態様に関連して、第1の態様の第1の可能な実施態様において、第2の部分は第1の部分を除くUEのBSR全体の他の部分を含み、または
第2の部分はUEのBSR全体を含む。
【０００８】
第1の態様または第1の態様の第1の可能な実施態様に関連して、第1の態様の第2の可能な実施態様において、送信モジュールは、受信モジュールが基地局によって送信された第2のアップリンク・リソース・スケジューリング情報を受信する前に、基地局へ、送信されたのがBSR全体ではないことを指示する情報を送信する、ようにさらに構成されている。
【０００９】
第1の態様の第2の可能な実施態様に関連して、第1の態様の第3の可能な実施態様において、送信されたのがBSR全体ではないことを指示する情報は、残りのBSRの指示情報および残りのBSRの容量情報のうちの少なくとも1つを含む。
【００１０】
第1の態様から第1の態様の第3の可能な実施態様の任意の可能な実施態様に関連して、第1の実施態様の第4の可能な実施態様において、受信モジュールは基地局によって周期的に送信される第1のアップリンク・リソース・スケジューリング情報を受信するように特に構成されている。
【００１１】
第1の態様から第1の態様の第3の可能な実施態様の任意の可能な実施態様に関連して、第1の態様の第5の可能な実施態様において、処理モジュールは、受信モジュールが基地局によって送信された第1のアップリンク・リソース・スケジューリング情報を受信する前に、SRの報告をトリガする、ようにさらに構成されており、
送信モジュールは処理モジュールがSRの報告をトリガした後で基地局へ第1のSRを送信するようにさらに構成されており、SRの報告は、処理モジュールが正規BSRの報告をトリガしたときに、UEのBSRを送信するのに用いられるアップリンクリソースがない場合にトリガされる。
【００１２】
第1の態様の第5の可能な実施態様に関連して、第1の態様の第6の可能な実施態様において、処理モジュールは、UEが自律リソース選択モードから基地局ベースのリソース・スケジューリング・モードに切り替わったときに、UEの現在のデバイス・ツー・デバイスD2D論理チャネル上に送信すべきデータがある場合に、正規BSRの報告をトリガする、ように特に構成されている。
【００１３】
第1の態様の第5または第6の可能な実施態様に関連して、第1の態様の第7の可能な実施態様において、送信モジュールはUEが基地局によって送信された第2のアップリンク・リソース・スケジューリング情報を受信する前に基地局へ第2のSRを送信するように特に構成されている。
【００１４】
第1の態様の第5から第7の可能な実施態様のいずれか1つの実施態様に関連して、第1の態様の第8の可能な実施態様において、処理モジュールは、送信モジュールが基地局へUEのBSR全体を送信し終えたときに、すでにトリガしたSRの報告または正規BSRの報告を取り消す、ようにさらに構成されている。
【００１５】
第1の態様の第5から第7の可能な実施態様のいずれか1つの実施態様に関連して、第1の態様の第9の可能な実施態様において、処理モジュールは、UEが基地局ベースのリソース・スケジューリング・モードから自律リソース選択モードに切り替わったときに、SRの、すでにトリガされている、D2Dリソース要求に用いられる報告を取り消す、ようにさらに構成されており、SRの、D2Dリソース要求に用いられる報告は、D2D BSRの報告がトリガされた後で、D2D BSRを送信するアップリンクリソースがないときにトリガされる、SRの報告をいう。
【００１６】
第1の態様から第1の態様の第7の可能な実施態様の任意の可能な実施態様に関連して、第1の実施態様の第10の可能な実施態様において、処理モジュールは、UEが基地局ベースのリソース・スケジューリング・モードから自律リソース選択モードに切り替わったときに、すでにトリガしたBSRの報告を取り消す、ようにさらに構成されている。
【００１７】
第1の態様から第1の態様の第7の可能な実施態様の任意の可能な実施態様に関連して、第1の実施態様の第11の可能な実施態様において、処理モジュールは、UEが基地局ベースのリソース・スケジューリング・モードから自律リソース選択モードに切り替わったときに、SRの、すでにトリガされている、D2Dリソース要求に用いられるランダム・アクセス・プロセスを取り消す、ようにさらに構成されており、D2Dリソース要求に用いられるランダムアクセスは、D2D BSRの報告がトリガされた後で、D2D BSRを送信するアップリンクリソースがなく、SRを送信するための物理アップリンク制御チャネル（Physical Uplink Control Channel、PUCCH）がUEのために構成されていないときにトリガされるランダム・アクセス・プロセスをいい、すでにトリガされている、D2Dリソース要求に用いられるランダム・アクセス・プロセスを取り消すことは、プリアンブル（Preamble）コードの送信を取り消す動作、メッセージ3（Message 3、MSG3）の送信を取り消す動作、およびランダム・アクセス・プロセスを終了し、ランダム・アクセス・プロセスが正常に完了したとみなす動作、のうちの少なくとも1つを含む。
【００１８】
第1の態様から第1の態様の第11の可能な実施態様の任意の可能な実施態様に関連して、第1の実施態様の第12の可能な実施態様において、BSRはD2D BSRを含む。
【００１９】
第2の態様は基地局を提供し、本基地局は、
UEへ第1のアップリンク・リソース・スケジューリング情報を送信するように構成された送信モジュールであって、第1のアップリンク・リソース・スケジューリング情報はUEに割り振られた第1のアップリンクリソースを指示するのに用いられる、送信モジュールと、
第1のアップリンクリソースがUEのBSR全体を搬送することができない場合、UEのBSR全体の、第1のアップリンクリソース上でUEによって送信された第1の部分を受信するように構成された受信モジュールであって、第1の部分はUEのBSR全体を含まない、受信モジュールと、
を含み、
送信モジュールはUEへ第2のアップリンク・リソース・スケジューリング情報を送信するようにさらに構成されており、第2のアップリンク・リソース・スケジューリング情報はUEに割り振られた第2のアップリンクリソースを指示するのに用いられ、
受信モジュールはUEのBSR全体の、第2のアップリンクリソース上でUEによって送信された第2の部分を受信するようにさらに構成されており、
また本基地局は、
UEに第1のアップリンクリソースおよび第2のアップリンクリソースを割り振るように構成された、処理モジュール、
を含む。
【００２０】
第2の態様に関連して、第2の態様の第1の可能な実施態様において、第2の部分は第1の部分を除くUEのBSR全体の他の部分を含み、または
第2の部分はUEのBSR全体を含む。
【００２１】
第2の態様または第2の態様の第1の可能な実施態様に関連して、第2の態様の第2の可能な実施態様において、送信モジュールは、送信モジュールがUEへ第2のアップリンク・リソース・スケジューリング情報を送信する前に、UEによって送信された、送信されたのがBSR全体ではないことを指示する情報を受信する、ようにさらに構成されている。
【００２２】
第2の態様の第2の可能な実施態様に関連して、第2の態様の第3の可能な実施態様において、送信されたのがBSR全体ではないことを指示する情報は、残りのBSRの指示情報および残りのBSRの容量情報のうちの少なくとも1つを含む。
【００２３】
第2の態様から第2の態様の第3の可能な実施態様の任意の可能な実施態様に関連して、第2の態様の第4の可能な実施態様において、受信モジュールはUEへ第1のアップリンク・リソース・スケジューリング情報を周期的に送信するように特に構成されている。
【００２４】
第2の態様から第2の態様の第3の可能な実施態様の任意の可能な実施態様に関連して、第2の態様の第5の可能な実施態様において、受信モジュールは、送信モジュールがUEへ第1のアップリンク・リソース・スケジューリング情報を送信する前に、UEによって送信された第1のSRを受信する、ようにさらに構成されており、第1のSRはUEが正規BSRの報告をトリガしたときにUEのBSRを送信するのに用いられるアップリンクリソースがない場合にSRの報告がトリガされた後で送信される。
【００２５】
第2の態様の第5の可能な実施態様に関連して、第2の態様の第6の可能な実施態様において、受信モジュールは、送信モジュールがUEへ第2のアップリンク・リソース・スケジューリング情報を送信する前に、UEによって送信された第2のSRを受信する、ようにさらに構成されている。
【００２６】
第2の態様から第2の態様の第6の可能な実施態様の任意の可能な実施態様に関連して、第2の態様の第7の可能な実施態様において、BSRはD2D BSRを含む。
【００２７】
第3の態様はユーザ機器を提供し、本UEは、
基地局によって送信された第1のアップリンク・リソース・スケジューリング情報を受信するように構成された受信モジュールであって、第1のアップリンク・リソース・スケジューリング情報はUEに割り振られた第1のアップリンクリソースを指示するのに用いられる、受信モジュールと、
パディングBSRの報告をトリガし、第1のアップリンクリソースがアップリンクデータおよびMAC PDUを搬送した後で残りのリソースがUEのBSR全体を搬送することができるかどうか判定するように構成された、処理モジュールと、
処理モジュールがパディングBSRの報告をトリガし、第1のアップリンクリソースがアップリンクデータおよびMAC PDUを搬送した後で残りのリソースがUEのBSR全体を搬送することができないと判定した場合、事前設定BSR優先順位規則に従って基地局へBSRを送信する、ように構成された、送信モジュールと、
を含む。
【００２８】
第3の態様に関連して、第3の態様の第1の可能な実施態様において、BSR優先順位規則は、セルラBSRの優先順位がD2D BSRの優先順位より高いこと、を含む。
【００２９】
第4の態様は基地局を提供し、本基地局は、
UEへ第1のアップリンク・リソース・スケジューリング情報を送信するように構成された送信モジュールであって、第1のアップリンク・リソース・スケジューリング情報はUEに割り振られた第1のアップリンクリソースを指示するのに用いられる、送信モジュールと、
第1のアップリンクリソース上で、事前設定BSR優先順位規則に従って基地局へUEによって送信されたBSRを受信するように構成された受信モジュールであって、BSRは、UEが、アップリンクリソースがアップリンクデータおよびMAC PDUを搬送した後で残りのリソースがUEのBSR全体を搬送することができないと判定した後で送信される、受信モジュールと、
UEに第1のアップリンクリソースを割り振るように構成された、処理モジュールと、
を含む。
【００３０】
第4の態様に関連して、第4の態様の第1の可能な実施態様において、BSR優先順位規則は、セルラBSRの優先順位がD2D BSRの優先順位より高いこと、を含む。
【００３１】
第5の態様はバッファ状態報告を報告するための方法を提供し、本方法は、
UEが、基地局によって送信された第1のアップリンク・リソース・スケジューリング情報を受信するステップであって、第1のアップリンク・リソース・スケジューリング情報はUEに割り振られた第1のアップリンクリソースを指示するのに用いられる、ステップと、
第1のアップリンクリソースがUEのBSR全体を搬送することができない場合、UEが、第1のアップリンクリソース上で基地局へUEのBSR全体の第1の部分を送信するステップであって、第1の部分はUEのBSR全体を含まない、ステップと、
UEが、基地局によって送信された第2のアップリンク・リソース・スケジューリング情報を受信するステップであって、第2のアップリンク・リソース・スケジューリング情報はUEに割り振られた第2のアップリンクリソースを指示するのに用いられる、ステップと、
UEが、第2のアップリンクリソース上で基地局へUEのBSR全体の第2の部分を送信するステップと、
を含む。
【００３２】
第5の態様に関連して、第5の態様の第1の可能な実施態様において、第2の部分は第1の部分を除くUEのBSR全体の他の部分を含み、または
第2の部分はUEのBSR全体を含む。
【００３３】
第5の態様または第5の態様の第1の可能な実施態様に関連して、第5の態様の第2の可能な実施態様において、UEが、基地局によって送信された第2のアップリンク・リソース・スケジューリング情報を受信するステップの前に、本方法は、UEが基地局へ、送信されたのがBSR全体ではないことを指示する情報を送信するステップ、をさらに含む。
【００３４】
第5の態様の第2の可能な実施態様に関連して、第5の態様の第3の可能な実施態様において、送信されたのがBSR全体ではないことを指示する情報は、残りのBSRの指示情報および残りのBSRの容量情報のうちの少なくとも1つを含む。
【００３５】
第5の態様から第5の態様の第3の可能な実施態様の任意の可能な実施態様に関連して、第5の実施態様の第4の可能な実施態様において、UEが、基地局によって送信された第1のアップリンク・リソース・スケジューリング情報を受信するステップは、
UEが、基地局によって周期的に送信される第1のアップリンク・リソース・スケジューリング情報を受信するステップ、
を含む。
【００３６】
第5の態様から第5の態様の第3の可能な実施態様の任意の可能な実施態様に関連して、第5の実施態様の第4の可能な実施態様において、UEが、基地局によって送信された第1のアップリンク・リソース・スケジューリング情報を受信するステップの前に、本方法は、
UEが、SRの報告をトリガし、基地局へ第1のSRを送信するステップであって、SRの報告はUEが正規BSRの報告をトリガしたときにUEのBSRを送信するのに用いられるアップリンクリソースがない場合にトリガされる、ステップ、
をさらに含む。
【００３７】
第5の態様の第5の可能な実施態様に関連して、第5の態様の第6の可能な実施態様において、UEが正規BSRの報告をトリガするステップは、
UEが自律リソース選択モードから基地局ベースのリソース・スケジューリング・モードに切り替わったときに、UEの現在のデバイス・ツー・デバイスD2D論理チャネル上に送信すべきデータがある場合に、UEが、正規BSRの報告をトリガするステップ、
を含む。
【００３８】
第5の態様または第5の態様の第6の可能な実施態様に関連して、第5の態様の第7の可能な実施態様において、UEが、基地局によって送信された第2のアップリンク・リソース・スケジューリング情報を受信するステップの前に、本方法は、
UEが、基地局へ第2のSRを送信するステップ、
をさらに含む。
【００３９】
第5の態様の第5から第7の可能な実施態様の任意の可能な実施態様に関連して、第5の態様の第8の可能な実施態様において、本方法は、
UEが基地局へUEのBSR全体を送信し終えたときに、UEが、すでにトリガしたSRの報告または正規BSRの報告を取り消すステップ、
をさらに含む。
【００４０】
第5の態様の第5から第7の可能な実施態様の任意の可能な実施態様に関連して、第5の態様の第9の可能な実施態様において、本方法は、UEが基地局ベースのリソース・スケジューリング・モードから自律リソース選択モードに切り替わったときに、UEが、SRの、すでにトリガされている、D2Dリソース要求に用いられる報告を取り消すステップ、をさらに含み、SRの、D2Dリソース要求に用いられる報告は、D2D BSRの報告がトリガされた後で、D2D BSRを送信するアップリンクリソースがないときにトリガされる、SRの報告をいう。
【００４１】
第5の態様から第5の態様の第7の可能な実施態様の任意の可能な実施態様に関連して、第5の実施態様の第10の可能な実施態様において、本方法は、
UEが基地局ベースのリソース・スケジューリング・モードから自律リソース選択モードに切り替わったときに、UEが、すでにトリガされたBSRの報告を取り消すステップ、
をさらに含む。
【００４２】
第5の態様から第5の態様の第7の可能な実施態様の任意の可能な実施態様に関連して、第5の実施態様の第11の可能な実施態様において、本方法は、UEが基地局ベースのリソース・スケジューリング・モードから自律リソース選択モードに切り替わったときに、すでにトリガされている、D2Dリソース要求に用いられるランダム・アクセス・プロセスを取り消すステップ、を含み、D2Dリソース要求に用いられるランダムアクセスは、D2D BSRの報告がトリガされた後で、D2D BSRを送信するアップリンクリソースがなく、SRを送信するためのPUCCHがUEのために構成されていないときにトリガされるランダム・アクセス・プロセスをいい、すでにトリガされている、D2Dリソース要求に用いられるランダム・アクセス・プロセスを取り消すステップは、Preambleコードの送信を取り消す動作、MSG3の送信を取り消す動作、およびランダム・アクセス・プロセスを終了し、ランダム・アクセス・プロセスが正常に完了したとみなす動作、のうちの少なくとも1つを含む。
【００４３】
第5の態様から第5の態様の第11の可能な実施態様の任意の可能な実施態様に関連して、第5の実施態様の第12の可能な実施態様において、BSRはD2D BSRを含む。
【００４４】
第6の態様はバッファ状態報告を報告するための方法を提供し、本方法は、
基地局が、UEへ第1のアップリンク・リソース・スケジューリング情報を送信するステップであって、第1のアップリンク・リソース・スケジューリング情報はUEに割り振られた第1のアップリンクリソースを指示するのに用いられる、ステップと、
第1のアップリンクリソースがUEのBSR全体を搬送することができない場合、基地局が、UEのBSR全体の、第1のアップリンクリソース上でUEによって送信された第1の部分を受信するステップであって、第1の部分はUEのBSR全体を含まない、ステップと、
基地局が、UEへ第2のアップリンク・リソース・スケジューリング情報を送信するステップであって、第2のアップリンク・リソース・スケジューリング情報はUEに割り振られた第2のアップリンクリソースを指示するのに用いられる、ステップと、
基地局が、UEのBSR全体の、第2のアップリンクリソース上でUEによって送信された第2の部分を受信するステップと、
を含む。
【００４５】
第6の態様に関連して、第6の態様の第1の可能な実施態様において、第2の部分は第1の部分を除くUEのBSR全体の他の部分を含み、または
第2の部分はUEのBSR全体を含む。
【００４６】
第6の態様または第6の態様の第1の可能な実施態様に関連して、第6の態様の第2の可能な実施態様において、基地局が、UEへ第2のアップリンク・リソース・スケジューリング情報を送信するステップの前に、本方法は、
基地局が、UEによって送信された、送信されたのがBSR全体ではないことを指示する情報を受信するステップ、
をさらに含む。
【００４７】
第6の態様の第2の可能な実施態様に関連して、第6の態様の第3の可能な実施態様において、送信されたのがBSR全体ではないことを指示する情報は、残りのBSRの指示情報および残存BSRの容量情報のうちの少なくとも1つを含む。
【００４８】
第6の態様から第6の態様の第3の可能な実施態様の任意の可能な実施態様に関連して、第6の実施態様の第4の可能な実施態様において、基地局が、UEへ第1のアップリンク・リソース・スケジューリング情報を送信するステップは、
基地局が、UEへ第1のアップリンク・リソース・スケジューリング情報を周期的に送信するステップ、
を含む。
【００４９】
第6の態様から第6の態様の第3の可能な実施態様の任意の可能な実施態様に関連して、第6の実施態様の第5の可能な実施態様において、基地局が、UEへ第1のアップリンク・リソース・スケジューリング情報を送信するステップの前に、本方法は、
基地局が、UEによって送信された第1のSRを受信するステップであって、第1のSRはUEが正規BSRの報告をトリガしたときにUEのBSRを送信するのに用いられるアップリンクリソースがない場合にSRの報告がトリガされた後で送信される、ステップ、
をさらに含む。
【００５０】
第6の態様の第5の可能な実施態様に関連して、第6の態様の第6の可能な実施態様において、基地局が、UEへ第2のアップリンク・リソース・スケジューリング情報を送信するステップの前に、本方法は、
基地局が、UEによって送信された第2のSRを受信するステップ、
をさらに含む。
【００５１】
第6の態様から第6の態様の第6の可能な実施態様の任意の可能な実施態様に関連して、第6の実施態様の第7の可能な実施態様において、BSRはD2D BSRを含む。
【００５２】
第7の態様はバッファ状態報告を報告するための方法を提供し、本方法は、
UEが、基地局によって送信された第1のアップリンク・リソース・スケジューリング情報を受信するステップであって、第1のアップリンク・リソース・スケジューリング情報はUEに割り振られた第1のアップリンクリソースを指示するのに用いられる、ステップと、
UEがパディングBSRの報告をトリガし、第1のアップリンクリソースがアップリンクデータおよびMAC PDUを搬送した後で残りのリソースがUEのBSR全体を搬送することができない場合、UEが、事前設定BSR優先順位規則に従って基地局へBSRを送信するステップと、
を含む。
【００５３】
第7の態様に関連して、第7の態様の第1の可能な実施態様において、BSR優先順位規則は、セルラBSRの優先順位がD2D BSRの優先順位より高いこと、を含む。
【００５４】
第8の態様はバッファ状態報告を報告するための方法を提供し、本方法は、
基地局が、UEへ第1のアップリンク・リソース・スケジューリング情報を送信するステップであって、第1のアップリンク・リソース・スケジューリング情報はUEに割り振られた第1のアップリンクリソースを指示するのに用いられる、ステップと、
アップリンクリソースがアップリンクデータおよびMAC PDUを搬送した後で残りのリソースがUEのBSR全体を搬送することができない場合、基地局が第1のアップリンクリソース上で、事前設定BSR優先順位規則に従ってUEによって基地局へ送信されたBSRを受信するステップと、
を含む。
【００５５】
第8の態様に関連して、第8の態様の第1の可能な実施態様において、BSR優先順位規則は、セルラBSRの優先順位がD2D BSRの優先順位より高いこと、を含む。
【００５６】
本発明の実施形態で提供されるバッファ状態報告を報告するための方法および装置によれば、UEが基地局によって送信された第1のアップリンク・リソース・スケジューリング情報を受信した後で、UEのBSR全体を第1のアップリンクリソース上で送信することができない場合、UEは基地局へUEのBSR全体の第1の部分を送信し、そのため基地局はUEに第2のアップリンクリソースを割り振り、UEが基地局によって送信された第2のアップリンク・リソース・スケジューリング情報を受信した後で、UEは第2のアップリンクリソース上で基地局へUEのBSR全体の第2の部分を送信し、そのためUEは基地局へBSR全体を送信することができる。
【００５７】
本発明の実施形態における、または先行技術における技術的解決策をより明確に説明するために、以下で、各実施形態または先行技術を説明するのに必要とされる添付の図面について簡単に記述する。明らかに、以下の説明の添付の図面は本発明の一部の実施形態を示すものであり、当業者はこれら添付の図面から難なく他の図面をさらに導出することができる。
【図面の簡単な説明】
【００５８】
【図１】LTEシステムにおける正規BSRの報告のシグナリング流れ図である。
【図２】LTEシステムにおけるパディングBSRの報告のシグナリング流れ図である。
【図３】本発明の一実施形態によるユーザ機器の実施形態1の概略的構造図である。
【図４】本発明の一実施形態による基地局の実施形態1の概略的構造図である。
【図５】本発明の一実施形態によるユーザ機器の実施形態2の概略的構造図である。
【図６】本発明の一実施形態による基地局の実施形態2の概略的構造図である。
【図７】本発明の一実施形態によるバッファ状態報告を報告するための方法の実施形態1の流れ図である。
【図８】本発明の一実施形態によるバッファ状態報告を報告するための方法の実施形態2の流れ図である。
【図９】本発明の一実施形態によるバッファ状態報告を報告するための方法の実施形態3の流れ図である。
【図１０】本発明の一実施形態によるバッファ状態報告を報告するための方法の実施形態4の流れ図である。
【図１１】本発明の一実施形態によるバッファ状態報告を報告するための方法の実施形態5の流れ図である。
【図１２】本発明の一実施形態によるバッファ状態報告を報告するための方法の実施形態6の流れ図である。
【発明を実施するための形態】
【００５９】
本発明の実施形態の目的、技術的解決策、および利点をより明確にするために、以下で、本発明の実施形態における添付の図面に関連して本発明の実施形態における技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００６０】
ロング・ターム・エボルーション（Long Term Evolution、LTE）には、正規BSR（regular BSR）の報告、周期BSR（periodic BSR）の報告、およびパディングBSR（padding BSR）の報告という3種類のBSRを報告する方法がある。ユーザ機器（User Equipment、UE）は異なるBSRを報告する方法で進化型ノードB（Evolved Node B、eNB）へBSRを報告する。
【００６１】
図1はLTEシステムにおける正規BSRの報告のシグナリング流れ図である。図1に示すように、ステップS101で、UEが送信すべきアップリンクデータを有し、正規BSRの報告をトリガしたときに、BSRを送信するのに用いられうるアップリンクリソースがない場合、UEはスケジューリング要求（Scheduling Request、SR）の報告をトリガすることを決定する。ステップS102で、UEはeNBへSR情報を送信する。ステップS103で、eNBはUEにアップリンクリソースを割り振り、UEへアップリンク・リソース・スケジューリング情報を送信し、アップリンクリソースはUEによってBSRを送信するのに用いられる。ステップS104で、UEはeNBによって割り振られたアップリンクリソース上でeNBへBSRを送信する。ステップS105で、アップリンクにおいてUEによって送信された媒体アクセス制御（Media Access Control、MAC）プロトコル・データ・ユニット（Protocol Data Unit、PDU）がBSRを含むときに、またはアップリンクにおいてUEによって送信されたMAC PDUが送信すべきすべてのアップリンクデータを含むときに、UEはすでにトリガしたSRの報告を取り消す。ステップS106で、eNBがUEによって送信されたBSRを受信した後で、eNBはUEにアップリンクリソースを割り振り、UEへアップリンク・リソース・スケジューリング情報を送信し、アップリンクリソースはUEにアップリンクデータを送信させるのに用いられ、アップリンクリソースのサイズはUEによって送信されたBSRに従って決定される。
【００６２】
図2は、LTEシステムにおけるパディングBSRの報告のシグナリング流れ図である。図2に示すように、ステップS201で、eNBはUEにアップリンクリソースを割り振り、UEへアップリンク・リソース・スケジューリング要求を送信し、アップリンクリソースはUEによってデータを送信するのに用いられる。ステップS202で、ステップS201でeNBによって割り振られたリソースについて、アップリンクデータおよびMAC PDUが搬送された後で、UEに残りのアップリンクリソースがまだあり、残りのアップリンクリソースでBSRおよびBSRのMACサブヘッダに対応することができる場合、UEは、残りのアップリンクリソース上で、パディングBSRを報告することを決定するステップS203 で、UEは残りのアップリンクリソースを用いてeNBにパディングBSRを報告する。ステップS204で、eNBがUEによって送信されたパディングBSRを受信すると、eNBはUEにアップリンクリソースを再割り振りし、UEへアップリンク・リソース・スケジューリング情報を送信し、アップリンクリソースはUEにアップリンクデータを送信させるのに用いられ、アップリンクリソースのサイズはUEによって送信されたパディングBSRに従って決定される。
【００６３】
LTEシステムで周期BSRを報告する方法は、eNBがUEに特定のアップリンクリソースを割り振り、UEはそのアップリンクリソース上でeNBにBSRを周期的に報告することができるというものであり、その具体的実施態様についてはここでは詳細を繰り返さない。
【００６４】
LTEシステムでBSRを報告する前述の方法では、報告される各BSRはセルラネットワークのBSRであり、セルラネットワークでは、データ伝送が行われるのがUEとeNBとの間のみであるため、特定の期間内にUEによってeNBへ送信されるデータの量はあまり大きくない。しかし、D2D通信時には、D2Dデバイスは複数の他のD2Dデバイスと同時に通信する場合があり、したがって、特定の期間内にD2Dデバイスによって送信されるデータの量が比較的大きくなる場合がある。基地局ベースのリソース・スケジューリング・モードでは、BSRを送信するのに用いられ、基地局によってD2Dデバイスに割り振られるアップリンクリソースは、D2D通信のデータのBSRを搬送することができない場合がある。
【００６５】
D2D通信のBSRをD2D BSRと呼ぶ。LTEシステムにおける正規BSRを報告する方法が用いられる場合、図1を見ると、ステップS101で、UEが送信すべきD2Dデータを有し、正規D2D BSRをトリガしたときに、D2D BSRを送信するのに用いることができるアップリンクリソースがない場合、UEはSRの報告をトリガすることを決定し、UEのD2D通信のデータ量が比較的大きい場合、ステップS103でeNBによってUEに割り振られるアップリンクリソースはUEがD2D BSR全体を報告するのに十分ではない場合もある。言い換えると、UEはステップS104でeNBへD2D BSRの一部しか報告することができない。しかし、ステップS105で、アップリンクにおいて送信されたMAC PDUがBSRを含むことを検出すると、UEはすでにトリガしたSRの報告を取り消し、eNBがUEによって報告されたD2D BSRを受信すると、eNBはUEが報告する必要のあるBSR全体を報告したとみなし、したがって、UEに引き続き残りのD2D BSRの報告させるためにUEに引き続きアップリンクリソースを割り振らず、それによってD2D BSRの一部を報告することができないという問題が生じる。
【００６６】
LTEシステムにおけるパディングBSRを報告する方法が用いられる場合、図2を見ると、UEはセルラ通信とD2D通信の両方を行うことができ、したがって、セルラ通信BSRとD2D BSRの両方が生じうる。ステップS202では、UEがパディングBSRを報告することを決定したときに、セルラ通信BSRとD2D BSRの両方があるため、UEはどちらの種類のBSRを報告する必要があるか決定することができない。
【００６７】
LTEシステムにおける周期BSRを報告する方法が用いられる場合、正規BSRを報告する方法と同様に、UEはBSRを周期的に報告するのに用いられる、eNBによって事前に割り振られたリソース上で、D2D BSR全体を報告することができない場合がある。
【００６８】
LTEシステムは、D2D BSRの報告に際して存在する問題を説明するための例として用いられているにすぎず、本発明はLTEシステムだけに限定されない。例えば、ユニバーサル移動電話システム（Universal Mobile Telecommunication System、UMTS）や、モバイル通信用グローバルシステム（Global System for Mobile communication、GSM(登録商標)）や、マイクロ波アクセスの世界的相互運用性（Worldwide Interoperability for Microwave Access、WiMAX）システムといったシステムでは、D2D通信が行われる場合、D2D BSRの報告に際して前述の問題がやはり発生する。
【００６９】
要約すると、D2Dデバイスが、D2D BSRを報告するのに用いられる、基地局によって割り振られたアップリンクリソース上で、D2D BSR全体を報告することができないときに、D2D BSRをどのようにして報告すべきかが現在至急解決すべき問題である。
【００７０】
さらに、無線通信ネットワークの進化と共に、セルラネットワークのアップリンクデータが次第に増加し、セルラネットワークにおいて、UEが、BSRを報告するのに用いられる、基地局によって割り振られたアップリンクリソース上で、BSR全体を報告することができない問題も発生しうることが予測され、そうした場合に、BSRをどのようにして報告すべきかもまた解決する必要のある問題である。
【００７１】
図3は本発明の一実施形態によるユーザ機器の実施形態1の概略的構造図である。図3に示すように、本実施形態のユーザ機器は、受信モジュール31と、処理モジュール32と、送信モジュール33とを含む。
【００７２】
受信モジュール31は基地局によって送信された第1のアップリンク・リソース・スケジューリング情報を受信するように構成されており、第1のアップリンク・リソース・スケジューリング情報はUEに割り振られた第1のアップリンクリソースを指示するのに用いられる。
【００７３】
具体的には、本実施形態で提供されるUEは任意の無線通信システムにおけるUEとすることができる。UEは受信モジュール31を含み、受信モジュール31は基地局によって送信された第1のアップリンク・リソース・スケジューリング情報を受信するように構成されており、第1のアップリンク・リソース・スケジューリング情報はUEに割り振られた第1のアップリンクリソースを指示するのに用いられ、第1のアップリンクリソースはUEによって報告されたBSRを搬送するのに用いられる。受信モジュール31によって受信される第1のアップリンク・リソース・スケジューリング情報は、基地局によって周期的に送信される場合もあり、UEによって送信されたSRを受信した後で基地局によって送信される場合もある。
【００７４】
処理モジュール32は第1のアップリンクリソースがUEのBSR全体を搬送することができるかどうか判定するように構成されている。
【００７５】
具体的には、受信モジュール31が第1のアップリンク・リソース・スケジューリング情報を受信した後で、処理モジュール32は第1のアップリンクリソースがUEのBSR全体を搬送することができるかどうか判定する。UEのBSR全体はUEの送信すべきすべてのアップリンクデータのデータ量に従って決定され、UEの送信すべきデータの量がより大きいことはUEのBSRがより大きいことを意味する。したがって、処理モジュール32は、送信すべき、UEのバッファ内のアップリンクデータに従ってUEのBSR全体を決定し、第1のアップリンクリソースがUEのBSR全体を搬送することができるかどうか判定することができる。
【００７６】
送信モジュール33は、処理モジュール32が第1のアップリンクリソースはUEのBSR全体を搬送することができないと判定した場合、第1のアップリンクリソース上で基地局へUEのBSR全体の第1の部分を送信する、ように構成されており、第1の部分はUEのBSR全体を含まない。
【００７７】
具体的には、処理モジュール32が第1のアップリンクリソースはUEのBSR全体を搬送することができないと判定した場合、この時点で、送信モジュール33は基地局へUEのBSR全体の第1の部分をまず送信してよく、第1の部分は、第1の部分のサイズが第1のアップリンクリソースによって搬送されうるBSRのサイズを超えない限り、UEのBSR全体の任意の部分とすることができる。
【００７８】
任意選択で、送信モジュール33は基地局へUEのBSR全体を送信しないため、送信モジュール33は、基地局へ同時に、送信されたのがBSR全体ではないことを指示する情報も送信し、送信モジュール33によって送信された、UEのBSR全体の第1の部分および送信されたのがBSR全体ではないことを指示する情報を受信した後で、基地局はUEがBSR全体をまだ送信し終えていないと判定することができる。
【００７９】
受信モジュール31は基地局によって送信された第2のアップリンク・リソース・スケジューリング情報を受信するようにさらに構成されており、第2のアップリンク・リソース・スケジューリング情報はUEに割り振られた第2のアップリンクリソースを指示するのに用いられる。
【００８０】
具体的には、基地局がUEはBSR全体をまだ送信し終えていないと判定すると、基地局は引き続きUEに第1のアップリンクリソースを割り振る。受信モジュール31は基地局によって送信された第2のアップリンク・リソース・スケジューリング情報を受信し、第2のアップリンク・リソース・スケジューリング情報はUEに割り振られた第2のアップリンクリソースを指示するのに用いられ、第2のアップリンクリソースはUEによって報告されたBSRを搬送するのに用いられる。
【００８１】
送信モジュール33は第2のアップリンクリソース上で基地局へUEのBSR全体の第2の部分を送信するようにさらに構成されている。
【００８２】
具体的には、受信モジュール31が第2のアップリンク・リソース・スケジューリング情報を受信した後で、送信モジュール33は第2のアップリンクリソース上で基地局へUEのBSR全体の第2の部分を送信することができる。一般には、基地局によってUEに割り振られた第2のアップリンクリソースを用いると、送信モジュール33が第1の部分を除くBSR全体の他の部分を報告することが可能になる。言い換えると、第2のアップリンクリソース上で基地局へBSR全体の第2の部分を送信した後で、送信モジュール33はUEのBSR全体を送信し終える。基地局によってUEに割り振られた第2のアップリンクリソースを用いても、送信モジュール33が第1の部分を除くBSR全体の他の部分を報告することが可能にならない場合、送信モジュール33が基地局へUEのBSR全体の第2の部分を送信した後で、受信モジュール31は、UEが基地局によってスケジュールされたアップリンクリソース上でUEのBSR全体を送信することができるまで、基地局によって送信された他のアップリンク・リソース・スケジューリング情報をさらに受信し、基地局によってスケジュールされた他のアップリンクリソースを取得する。
【００８３】
好ましくは、UEのBSR全体の第2の部分は第1の部分を除くUEのBSR全体の他の部分を含む。言い換えると、UEは基地局へすでに送信したBSRを繰り返し送信しない。しかし、ある場合には、UEのBSR全体の第2の部分はUEのBSR全体を含む。この場合には、基地局によってUEに割り振られる第2のアップリンクリソースはUEのBSR全体を搬送することができる必要がある。
【００８４】
本実施形態によれば、UEが基地局によって送信された第1のアップリンク・リソース・スケジューリング情報を受信した後で、UEのBSR全体を第1のアップリンクリソース上で送信することができない場合、UEは基地局へUEのBSR全体の第1の部分を送信し、そのため基地局はUEに第2のアップリンクリソースを割り振り、UEが基地局によって送信された第2のアップリンク・リソース・スケジューリング情報を受信した後で、UEは第2のアップリンクリソース上で基地局へUEのBSR全体の第2の部分を送信し、そのためUEは基地局へBSR全体を送信することができる。
【００８５】
さらに、図3に示す実施形態では、任意選択で、送信モジュール33は、受信モジュール31が基地局によって送信された第2のアップリンク・リソース・スケジューリング情報を受信する前に、基地局へ、送信されたのがBSR全体ではないことを指示する情報を送信する、ようにさらに構成されている。送信されたのがBSR全体ではないことを指示する情報は、残りのBSRの指示情報および残りのBSRの容量情報のうちの少なくとも1つを含む。
【００８６】
具体的には、受信モジュール31が基地局によって送信された第2のアップリンク・リソース・スケジューリング情報を受信する前に、送信モジュール33は、基地局へ、送信されたのがBSR全体ではないことを指示する情報を送信し、そのため基地局はUEがUEのBSR全体をまだ送信し終えていないことを知る。送信されたのがBSR全体ではないことを指示する情報は、残りのBSRの指示情報および残りのBSRの容量情報のうちの少なくとも1つを含む。残りのBSRの指示情報はUEがBSR全体を送信し終えたかどうか直接指示するのに用いられ、残りのBSRの容量情報はUEによって完全に送信されていないBSRの容量を指示するのに用いられる。送信されたのがBSR全体ではないことを指示する情報が残りのBSRの指示情報である場合に、基地局は、残りのBSRの指示情報に従って、UEがBSR全体をまだ送信し終えていないと直接判定することができる。送信されたのがBSR全体ではないことを指示する情報が残りのBSRの容量情報である場合に、基地局は、残りのBSRの容量に従って、UEはBSR全体をまだ送信し終えていないと判定し、UEによってまだ完全に送信されていないBSRの容量を決定することができる。さらに、基地局は残りのBSRの容量情報に従ってUEに第2のアップリンクリソースを割り振ることができ、第2のアップリンクリソースは残りのBSRの容量情報における残りのBSRの容量以上とすることができ、したがって、UEのBSR全体の、第2のアップリンクリソース上で送信モジュール33によって送信される第2の部分は、第1の部分を除くUEのBSR全体の他の部分とすることができ、すなわち、送信モジュール33は基地局がUEにアップリンクリソースを2回割り振ったときにBSR全体を送信することができる。好ましくは、第2のアップリンクリソースは残りのBSRの容量情報におけるBSRの容量に等しく、このようにして、送信モジュール33は最小限のアップリンクリソースを用いてBSRを報告することができる。
【００８７】
さらに、図3に示す実施形態では、受信モジュール31は基地局によって周期的に送信される第1のアップリンク・リソース・スケジューリング情報を受信することができ、したがって、UEがBSRを報告するための方法は周期BSRを報告する方法と同様であり、セルラネットワークにおける周期BSRを報告する既存の方法と一致する。受信モジュール31が第1のアップリンク・リソース・スケジューリング情報を受信した後で、処理モジュール32が第1のアップリンクリソースはUEのBSR全体を送信することができると判定した場合、図3に示す実施形態のUEがBSRを報告するための方法は、セルラネットワークにおける周期BSRを報告する既存の方法と同じである。
【００８８】
さらに、図3に示す実施形態では、処理モジュール32は、受信モジュール31が基地局によって送信された第1のアップリンク・リソース・スケジューリング情報を受信する前に、SRの報告をトリガする、ようにさらに構成されており、送信モジュール33は処理モジュール32がSRの報告をトリガした後で基地局へ第1のSRを送信するようにさらに構成されており、SRの報告は処理モジュール32が正規BSRの報告をトリガしたときにUEのBSRを送信するのに用いられるアップリンクリソースがない場合にトリガされる。
【００８９】
具体的には、図3に示す実施形態のUEは、セルラネットワークにおける正規BSRを報告する方法と同様のBSRを報告するための方法を用いてBSRを報告することもできる。この場合には、受信モジュール31が基地局によって送信された第1のアップリンク・リソース・スケジューリング情報を受信する前に、処理モジュール32はSRの報告をトリガする。処理モジュール32がSRの報告をトリガした後で、送信モジュール33は基地局へ第1のSRを送信する。SRの、処理モジュール32によってトリガされる報告は、処理モジュール32が正規BSRの報告をトリガしたときにUEのBSRを送信するのに用いられるアップリンクリソースがない場合にトリガされる。言い換えると、正規BSRの報告をトリガした後で、処理モジュール32が、UEのBSRを送信するのに用いることのできるアップリンクリソースがないことを発見した場合、処理モジュール32はSRの報告をトリガし、送信モジュール33は基地局へ第1のSRを送信し、第1のSRを受信した後で、基地局はUEに第1のアップリンクリソースを再割り振りする。UEがBSRを報告するための本方法は、図1に示すセルラネットワークにおける正規BSRを報告するための方法と一致する。
【００９０】
さらに、図3に示す実施形態では、BSRがD2D BSRである場合、処理モジュール32は、UEが自律リソース選択モードから基地局ベースのリソース・スケジューリング・モードに切り替わったときに、UEの現在のD2D論理チャネル上に送信すべきデータがある場合に、正規BSRの報告をトリガする、ように特に構成されている。
【００９１】
具体的には、処理モジュール32は正規BSRの報告を多くの方法でトリガし、UEがD2D通信を行っているときに、処理モジュール32が正規BSRの報告をトリガするための1つの方法は、UEが自律リソース選択モードから基地局ベースのリソース・スケジューリング・モードに切り替わり、UEの現在のD2D論理チャネル上に送信すべきデータがある場合に、正規BSRの報告をトリガすること、であってよい。UEの自律リソース選択モジュールは、UEが、基地局へメッセージを要求しなくても、データの送信に用いられるアップリンクリソースを自律的に選択することができることを指示し、UEの基地局ベースのリソース・スケジューリング・モードは、UEによって用いられる各リソースが基地局によって割り振られることを指示する。UEが自律リソース選択モードにあるとき、UEには基地局にBSRを報告しなくてもよく、D2Dデータを送信するためのリソースを自律的に選択することができ、UEが基地局ベースのリソース・スケジューリング・モードにあるとき、UEには基地局にBSRを報告する必要があり、基地局がUEにアップリンクリソースを割り振った後で初めて、UEはD2Dデータを送信することができる。
【００９２】
さらに、図3に示す実施形態では、送信モジュール33は受信モジュール31が基地局によって送信された第2のアップリンク・リソース・スケジューリング情報を受信する前に基地局へ第2のSRを送信するように特に構成されている。
【００９３】
具体的には、図3に示す実施形態のUEが、セルラネットワークにおける正規BSRを報告する方法と同様のBSRを報告するための方法を用いてBSRを報告する場合、受信モジュール31が基地局によって送信された第1のアップリンク・リソース・スケジューリング情報を受信する前に、処理モジュール32はSRの報告をトリガし、処理モジュール32がSRの報告をトリガした後で、送信モジュール33は基地局へ第1のSRを送信する。受信モジュール31が基地局によって送信された第2のアップリンク・リソース・スケジューリング情報を受信する前に、送信モジュール33は基地局へ第2のSRを送信し、第2のSRは、処理モジュール32が、第1のアップリンクリソースはUEのBSR全体を送信することができないと判定した後で、すでにトリガしたSRの報告または正規BSRの報告を取り消さないことを決定した後で、基地局へ送信される。送信モジュール33が基地局へ第2のSRを送信することは、UEがBSR全体をまだ送信し終えていないことを指示する情報を意味する。第2のSRを受信した後で、基地局はUEがBSR全体をまだ送信し終えていないことを知ることができ、したがって、UEに第2のアップリンクリソースを割り振ることができ、第2のアップリンクリソースを割り振ることにより同様に、UEが引き続き第2のアップリンクリソース上で基地局へUEのBSR全体の第2の部分を送信することが可能になる。
【００９４】
さらに、図3に示す実施形態では、処理モジュール32は、送信モジュール33が基地局へUEのBSR全体を送信し終えたときに、すでにトリガしたSRの報告または正規BSRの報告を取り消す、ようにさらに構成されている。
【００９５】
具体的には、送信モジュール33が基地局へUEのBSR全体を送信し終えた後で、処理モジュール32はすでにトリガしたSRの報告または正規BSRの報告を取り消す。言い換えると、UEが基地局へUEのBSR全体を送信し終えた後で、UEにはアップリンクリソースのスケジューリングを要求するために基地局へSRをそれ以上送信する必要がなく、基地局へBSRを送信する必要がない。したがって、処理モジュール32はすでにトリガしたSRの報告または正規BSRの報告を取り消す。
【００９６】
さらに、図3に示す実施形態では、処理モジュール32は、UEが基地局ベースのリソース・スケジューリング・モードから自律リソース選択モードに切り替わったときに、SRの、すでにトリガされている、D2Dリソース要求に用いられる報告を取り消す、ようにさらに構成されており、SRの、D2Dリソース要求に用いられる報告は、D2D BSRの報告がトリガされた後で、D2D BSRを送信するアップリンクリソースがないときにトリガされる、SRの報告をいう。
【００９７】
具体的には、UEがBSRを、セルラネットワークにおける周期BSRを報告する方法と同様の方法でBSRを報告するか、それともセルラネットワークにおける正規BSRを報告する方法と同様の方法でBSRを報告するかにかかわらず、UEが基地局ベースのリソース・スケジューリング・モードから自律リソース選択モードに切り替わったときに、UEは基地局がアップリンクリソースを割り振ることを必要とせずにアップリンクリソースを自律的に選択することができる。したがって、UEがどんな状態にあっても、UEが基地局ベースのリソース・スケジューリング・モードから自律リソース選択モードに切り替わったときに、処理モジュール32は、SRの、すでにトリガされている、D2Dリソース要求に用いられる報告を取り消すことができる。UEによって基地局へ送信されたSRは、基地局に、UEがデータを送信するのに必要とするリソースを割り振らせるのに用いられ、SRの、D2Dリソース要求に用いられる報告は、この場合、基地局に、UEがD2D通信に用いるリソースをスケジュールさせるのに用いられる。具体的には、SRの、D2Dリソース要求に用いられる報告は、UEのD2D BSRの報告がトリガされた後で、UEにD2D BSRを送信するアップリンクリソースがないときにトリガされる報告をいう。
【００９８】
さらに、図3に示す実施形態では、処理モジュール32は、UEが基地局ベースのリソース・スケジューリング・モードから自律リソース選択モードに切り替わったときに、すでにトリガしたBSRの報告を取り消す、ようにさらに構成されている。
【００９９】
具体的には、UEがBSRを、セルラネットワークにおける周期BSRを報告する方法と同様の方法でBSRを報告するか、それともセルラネットワークにおける正規BSRを報告する方法と同様の方法でBSRを報告するかにかかわらず、UEが基地局ベースのリソース・スケジューリング・モードから自律リソース選択モードに切り替わったときに、UEは基地局がアップリンクリソースを割り振ることを必要とせずにアップリンクリソースを自律的に選択することができる。したがって、UEがどんな状態にあっても、UEが基地局ベースのリソース・スケジューリング・モードから自律リソース選択モードに切り替わったときに、処理モジュール32はすでにトリガしたBSRの報告を取り消す。
【０１００】
さらに、図3に示す実施形態では、処理モジュール32は、UEが基地局ベースのリソース・スケジューリング・モードから自律リソース選択モードに切り替わったときに、SRの、すでにトリガされている、D2Dリソース要求に用いられるランダム・アクセス・プロセスを取り消す、ようにさらに構成されており、D2Dリソース要求に用いられるランダムアクセスは、D2D BSRの報告がトリガされた後で、D2D BSRを送信するアップリンクリソースがなく、SRを送信するための物理アップリンク制御チャネル（Physical Uplink Control Channel、PUCCH）がUEのために構成されていないときにトリガされるランダム・アクセス・プロセスをいい、すでにトリガされている、D2Dリソース要求に用いられるランダム・アクセス・プロセスを取り消すことは、プリアンブル（Preamble）コードの送信を取り消す動作、メッセージ3（Message 3、MSG3）の送信を取り消す動作、およびランダム・アクセス・プロセスを終了し、ランダム・アクセス・プロセスが正常に完了したとみなす動作、のうちの少なくとも1つを含む。
【０１０１】
具体的には、UEがBSRを、セルラネットワークにおける周期BSRを報告する方法と同様の方法でBSRを報告するか、それともセルラネットワークにおける正規BSRを報告する方法と同様の方法でBSRを報告するかにかかわらず、UEが基地局ベースのリソース・スケジューリング・モードから自律リソース選択モードに切り替わったときに、UEは基地局がアップリンクリソースを割り振ることを必要とせずにアップリンクリソースを自律的に選択することができる。したがって、UEがどんな状態にあっても、UEが基地局ベースのリソース・スケジューリング・モードから自律リソース選択モードに切り替わったときに、処理モジュール32は、すでにトリガされている、D2Dリソース要求に用いられるランダム・アクセス・プロセスを取り消すことができる。UEのランダム・アクセス・プロセスは基地局にアクセスするのに用いられ、UEのランダム・アクセス・プロセスは、まず基地局へプリアンブルカードを送信し、基地局によって送信されたランダムアクセス応答（メッセージ2）を受信し、次いで、基地局へメッセージ3を送信するなど、を含む。D2Dリソース要求に用いられるランダムアクセスは、D2D BSRの報告がトリガされた後で、D2D BSRを送信するアップリンクリソースがなく、SRを送信するためのPUCCHがUEのために構成されていないときにトリガされるランダム・アクセス・プロセスをいう。すでにトリガされている、D2Dリソース要求に用いられるランダム・アクセス・プロセスを取り消すプロセスは、プリアンブルコードの送信を取り消す動作、メッセージ3の送信を取り消す動作、およびランダム・アクセス・プロセスを終了し、ランダム・アクセス・プロセスが正常に完了したとみなす動作、のうちの少なくとも1つを含む。
【０１０２】
さらに、図3に示す実施形態では、BSRはD2D BSRを含む。UEがD2D通信を行うときには、D2D BSRが生成される。D2D通信の1つの特徴は、アップリンク通信データの量が比較的大きい場合があることであり、したがって、D2D BSRの容量も比較的大きい場合があり、UEがD2D BSRを報告するのに必要とされるアップリンクリソースも比較的大きい。したがって、図3に示す実施形態のUEは基地局へUEのBSR全体を送信することができ、それによってD2D BSRの報告の問題が解決される。
【０１０３】
図4は本発明の一実施形態による基地局の実施形態1の概略的構造図である。図4に示すように、本実施形態の基地局は、送信モジュール41と、処理モジュール42と、受信モジュール43とを含む。
【０１０４】
送信モジュール41はUEへ第1のアップリンク・リソース・スケジューリング情報を送信するように構成されており、第1のアップリンク・リソース・スケジューリング情報はUEに割り振られた第1のアップリンクリソースを指示するのに用いられる。
【０１０５】
具体的には、本実施形態で提供される基地局は、基地局がリソーススケジューリング能力を有する限り、任意の無線通信システムにおける基地局とすることができる。本基地局は送信モジュール41を含み、送信モジュール41はUEへ第1のアップリンク・リソース・スケジューリング情報を送信するように構成されており、第1のアップリンク・リソース・スケジューリング情報はUEに割り振られた第1のアップリンクリソースを指示するのに用いられ、第1のアップリンクリソースはUEによって報告されたBSRを搬送するのに用いられる。本実施形態の基地局は処理モジュール42をさらに含み、処理モジュール42はUEに割り振られる第1のアップリンクリソースを決定するように構成されている。
【０１０６】
受信モジュール43は、第1のアップリンクリソースがUEのBSR全体を搬送することができない場合、UEのBSR全体の、第1のアップリンクリソース上でUEによって送信された第1の部分を受信するように構成されており、第1の部分はUEのBSR全体を含まない。
【０１０７】
具体的には、送信モジュール41がUEへ第1のアップリンクリソースを送信した後で、UEは第1のアップリンクリソースがUEのBSR全体を搬送することができるかどうか判定する。第1のアップリンクリソースがUEのBSR全体を搬送することができない場合、基地局の受信モジュール43は第1のアップリンクリソース上で、UEのBSR全体の、UEによって送信された第1の部分を受信し、第1の部分は、第1の部分のサイズが第1のアップリンクリソースによって搬送されうるBSRのサイズを超えない限り、UEのBSR全体の任意の部分とすることができる。
【０１０８】
送信モジュール41はUEへ第2のアップリンク・リソース・スケジューリング情報を送信するようにさらに構成されており、第2のアップリンク・リソース・スケジューリング情報はUEに割り振られた第2のアップリンクリソースを指示するのに用いられる。
【０１０９】
具体的には、受信モジュール43が、UEのBSR全体の、UEによって送信された第1の部分を受信した後で、処理モジュール42はUEに第2のアップリンクリソースを割り振ることを決定し、送信モジュール41はUEへ第2のアップリンク・リソース・スケジューリング情報を送信し、第2のアップリンク・リソース・スケジューリング情報はUEに割り振られた第2のアップリンクリソースを指示するのに用いられ、第2のアップリンクリソースはUEによって報告されたBSRを搬送するのに用いられ、そのためUEは引き続き第2のアップリンクリソース上でBSRを報告することができる。
【０１１０】
受信モジュール43は、UEのBSR全体の、第2のアップリンクリソース上でUEによって送信される第2の部分を受信するようにさらに構成されている。
【０１１１】
具体的には、送信モジュール41がUEへ第2のアップリンクリソース割り振りメッセージを送信した後で、UEは第2のアップリンクリソース上で基地局へUEのBSR全体の第2の部分を送信することができる。一般には、処理モジュール42によって決定された第2のアップリンクリソースを用いると、UEが第1の部分を除くBSR全体の他の部分を報告することが可能になり、言い換えると、第2のアップリンクリソース上で、BSR全体の、UEによって送信された第2の部分を受信した後で、送信モジュール43はUEのBSR全体を受信し終える。処理モジュール42によって決定された第2のアップリンクリソースを用いても、UEが第1の部分を除くBSR全体の他の部分を報告することが可能にならない場合、受信モジュール43が、UEのBSR全体の、UEによって送信された第2の部分を受信した後で、受信モジュール43がUEによって送信されたUEのBSR全体を受信するまで、処理モジュール42は引き続きUEがBSRを報告するのに用いるアップリンクリソースを決定し、送信モジュール41は引き続きUEへアップリンク・リソース・スケジューリング情報を送信する。
【０１１２】
好ましくは、UEのBSR全体の第2の部分は第1の部分を除くUEのBSR全体の他の部分を含む。言い換えると、UEは基地局へすでに送信したBSRを繰り返し送信しない。しかし、ある場合には、UEのBSR全体の第2の部分はUEのBSR全体を含む。この場合には、基地局によってUEに割り振られる第2のアップリンクリソースはUEのBSR全体を搬送することができる必要がある。
【０１１３】
本実施形態によれば、基地局がUEへ第1のアップリンク・リソース・スケジューリング情報を送信した後で、第1のアップリンクリソースがUEのBSR全体を搬送することができない場合、基地局は、UEのBSR全体の、UEによって送信された第1の部分を受信し、そのため基地局はUEに第2のアップリンクリソースを割り振り、基地局がUEへ第2のアップリンク・リソース・スケジューリング情報を送信した後で、基地局は、UEのBSR全体の、第2のアップリンクリソース上でUEによって送信された第2の部分を受信し、そのためUEは基地局へBSR全体を送信することができる。
【０１１４】
さらに、図4に示す実施形態では、受信モジュール43は、送信モジュール41がUEへ第2のアップリンク・リソース・スケジューリング情報を送信する前に、UEによって送信された、送信されたのがBSR全体ではないことを指示する情報を受信する、ようにさらに構成されている。送信されたのがBSR全体ではないことを指示する情報は、残りのBSRの指示情報および残りのBSRの容量情報のうちの少なくとも1つを含む。
【０１１５】
具体的には、送信モジュール41がUEへ第2のアップリンク・リソース・スケジューリング情報を送信する前に、受信モジュール43は、UEによって送信された、送信されたのがBSR全体ではないことを指示する情報をさらに受信することができる。受信モジュール43が送信されたのがBSR全体ではないことを指示する情報を受信した後で、処理モジュール42はUEがBSR全体をまだ送信し終えていないことを知ることができる。UEによって送信され、受信モジュール43によって受信される、送信されたのがBSR全体ではないことを指示する情報は、残りのBSRの指示情報および残りのBSRの容量情報のうちの少なくとも1つを含むことができる。残りのBSRの指示情報はUEがBSR全体を送信し終えたかどうか直接指示するのに用いられ、残りのBSRの容量情報は完全に送信されていないBSRの容量を指示するのに用いられる。送信されたのがBSR全体ではないことを指示する情報が残りのBSRの指示情報である場合に、基地局は、残りのBSRの指示情報に従って、UEがBSR全体をまだ送信し終えていないと判定することができる。送信されたのがBSR全体ではないことを指示する情報が残りのBSRの容量情報である場合に、基地局は、残りのBSRの容量に従って、UEはBSR全体をまだ送信し終えていないと判定し、UEによってまだ完全に送信されていないBSRの容量を決定することができる。さらに、基地局は残りのBSRの容量情報に従ってUEに第2のアップリンクリソースを割り振ることができ、第2のアップリンクリソースは残りのBSRの容量情報における残りのBSRの容量以上とすることができ、したがって、UEのBSR全体の、第2のアップリンクリソース上で受信モジュール43によって受信される第2の部分は、第1の部分を除くUEのBSR全体の他の部分とすることができ、すなわち、UEは基地局がUEにアップリンクリソースを2回割り振ったときにUEのBSR全体を送信することができる。好ましくは、第2のアップリンクリソースは残りのBSRの容量情報におけるBSRの容量に等しく、このようにして、UEは最小限のアップリンクリソースを用いてBSRを報告することができる。
【０１１６】
さらに、図4に示す実施形態では、送信モジュール41はUEへ第1のアップリンク・リソース・スケジューリング情報を周期的に送信するように特に構成されている。したがって、UEがBSRを報告する方法は周期BSRを報告する方法と同様であり、セルラネットワークにおいて周期BSRを報告する既存の方法と一致し、送信モジュール41がUEへ第1のアップリンク・リソース・スケジューリング情報を送信した後で、UEが第1のアップリンクリソースはUEのBSR全体を送信することができると判定した場合、図4に示す実施形態の基地局によって受信され、UEがBSRを報告するための方法は、セルラネットワークにおいて周期BSRを報告する既存の方法と同じである。
【０１１７】
さらに、図4に示す実施形態では、受信モジュール43は、送信モジュール41がUEへ第1のアップリンク・リソース・スケジューリング情報を送信する前に、UEによって送信された第1のSRを受信する、ようにさらに構成されており、第1のSRはUEが正規BSRの報告をトリガしたときにUEのBSRを送信するのに用いられるアップリンクリソースがない場合にSRの報告がトリガされた後で送信される。
【０１１８】
具体的には、図4に示す実施形態の基地局は、セルラネットワークにおける正規BSRを報告する方法と同様のBSRを報告するための方法を用いてUEによって報告されたBSRを受信することもできる。この場合には、送信モジュール41がUEへ第1のアップリンク・リソース・スケジューリング情報を送信する前に、受信モジュール43はUEによって送信された第1のSRをまず受信し、第1のSRはUEが正規BSRの報告をトリガしたときにUEのBSRを送信するのに用いられるアップリンクリソースがない場合にSRの報告がトリガされた後で送信される。言い換えると、正規BSRの報告をトリガした後で、UEがUEのBSRを送信するのに用いることのできるアップリンクリソースがないことを発見したときに、UEはSRの報告をトリガし、この時点で、受信モジュール43はUEによって送信された第1のSRを受信し、受信モジュール43が第1のSRを受信した後で、送信モジュールは次いでUEへ第1のアップリンク・リソース・スケジューリング情報を送信する。BSRを報告するためのこの方法は図1に示すセルラネットワークにおける正規BSRを報告するための方法と一致する。
【０１１９】
さらに、図4に示す実施形態では、受信モジュール43は、送信モジュール41がUEへ第2のアップリンク・リソース・スケジューリング情報を送信する前に、UEによって送信された第2のSRを受信する、ようにさらに構成されている。
【０１２０】
具体的には、図4に示す実施形態の基地局は、セルラネットワークにおける正規BSRを報告する方法と同様のBSRを報告するための方法を用いてUEによって報告されたBSRを受信し、すなわち、送信モジュール41がUEへ第1のアップリンク・リソース・スケジューリング情報を送信する前に、受信モジュール43はUEによって送信された第1のSRを受信する。送信モジュールがUEへ第2のアップリンク・リソース・スケジューリング情報を送信する前に、受信モジュール43はUEによって送信された第2のSRを受信する。第2のSRは、UEが、第1のアップリンクリソースはUEのBSR全体を送信することができないと判定した後で、すでにトリガしたSRの報告または正規BSRの報告を取り消さないことを決定した後で、送信される。UEが基地局へ第2のSRを送信することは、UEがBSR全体をまだ送信し終えていないことを指示する情報を意味する。第2のSRを受信した後で、受信モジュール43はUEがBSR全体をまだ送信し終えていないことを知ることができ、したがって、UEに第2のアップリンクリソースを割り振ることができ、第2のアップリンクリソースを割り振ることにより同様に、UEが引き続き第2のアップリンクリソース上で基地局へUEのBSR全体の第2の部分を送信することが可能になる。
【０１２１】
さらに、図4に示す実施形態では、BSRはD2D BSRを含む。UEがD2D通信を行うときには、D2D BSRが生成される。D2D通信の1つの特徴は、アップリンク通信データの量が比較的大きい場合があることであり、したがって、D2D BSRの容量も比較的大きい場合があり、UEがD2D BSRを報告するのに必要とされるアップリンクリソースも比較的大きい。したがって、図4に示す実施形態の基地局は、UEによって送信されたUEのBSR全体を送信することができ、それによってD2D BSRの報告の問題が解決される。
【０１２２】
図5は本発明の一実施形態によるユーザ機器の実施形態2の概略的構造図である。図5に示すように、本実施形態のユーザ機器は、受信モジュール51と、処理モジュール52と、送信モジュール53とを含む。
【０１２３】
受信モジュール51は基地局によって送信された第1のアップリンク・リソース・スケジューリング情報を受信するように構成されており、第1のアップリンク・リソース・スケジューリング情報はUEに割り振られた第1のアップリンクリソースを指示するのに用いられる。
【０１２４】
具体的には、本実施形態で提供されるUEは任意の無線通信システムにおけるUEとすることができる。本実施形態で提供されるUEと図3に示す実施形態で提供されるUEとの違いは、本実施形態で提供されるUEによって用いられる、BSRを報告するための方法は、図2に示す、セルラネットワークにおけるパディングBSRを報告するための方法と同様であり、セルネットワークにおけるパディングBSRを報告するための方法と一致する、という点にある。
【０１２５】
本UEは受信モジュール51を含み、受信モジュール51は基地局によって送信された第1のアップリンク・リソース・スケジューリング情報を受信するように構成されており、第1のアップリンク・リソース・スケジューリング情報はUEに割り振られた第1のアップリンクリソースを指示するのに用いられ、第1のアップリンクリソースはUEによって報告されたアップリンクデータを搬送するのに用いられる。この場合の第1のアップリンクリソースと、図3に示す実施形態の受信モジュール31によって受信される第1のアップリンク・リソース・スケジューリング情報で示される第1のアップリンクリソースとの間には違いがあり、すなわち、図3に示す実施形態では、受信モジュール31によって受信される第1のアップリンクリソーススケジューリング情報における、UEに割り振られた第1のアップリンクリソースは、UEによって報告されたBSRを搬送するのに用いられ、他方本実施形態では、受信モジュール51は基地局へUEによって送信されたアップリンクデータを搬送するのに用いられる。
【０１２６】
処理モジュール52は、パディングBSRの報告をトリガし、第1のアップリンクリソースがアップリンクデータおよびMAC PDUを搬送した後で残りのリソースがUEのBSR全体を搬送することができるかどうか判定するように構成されている。
【０１２７】
具体的には、受信モジュール51が第1のアップリンクリソーススケジューリング情報を受信した後で、処理モジュール51はパディングBSRの報告をトリガすべきかどうかまず判定する。図2に示す実施形態の場合と同様に、パディングBSRは第1のアップリンクリソースがアップリンクデータを送信した後の残りのリソース上で搬送される。処理モジュール51がパディングBSRの報告をトリガすることを決定し、アップリンクデータおよびMAC PDUを搬送した後で、第1のアップリンクリソースが残りのリソースを有する場合に限って、UEは基地局へパディングBSRを送信することができる。加えて、処理モジュール51にはさらに、第1のアップリンクリソースがアップリンクデータおよびMAC PDUを送信した後のものである残りのリソースがUEのBSR全体を搬送することができるかどうか判定する必要もある。
【０１２８】
送信モジュール53は、処理モジュール52がパディングBSRの報告をトリガし、第1のアップリンクリソースがアップリンクデータおよびMAC PDUを搬送した後で残りのリソースがUEのBSR全体を搬送することができないと判定した場合、事前設定BSR優先順位規則に従って基地局へBSRを送信する、ように構成されている。
【０１２９】
具体的には、パディングBSRは通常のデータを送信するのに用いられるアップリンクリソースにおける残りのリソースを占有するにすぎず、したがって、パディングBSRの報告はBSR全体を報告する必要がなく、たとえUEがパディングBSRの報告の方法を用いてUEのBSR全体を報告することができなくても、UEは正規BSRの報告をトリガするための条件が満たされたときに正規BSRの報告をさらにトリガすることができ、したがって、通常のデータ伝送に影響を及ぼさない。したがって、本実施形態で提供されるUEは基地局へUEのBSR全体を送信しなくてもよい。処理モジュール52がパディングBSRの報告をトリガし、第1のアップリンクリソースがアップリンクデータおよびMAC PDUを搬送した後で残りのリソースがUEのBSR全体を搬送することができないと判定した場合、送信モジュール53は事前設定BSR優先順位規則に従って基地局へBSRを送信する。BSR優先順位規則はUEで事前設定されていてよく、例えば、BSR優先順位規則は、各BSRが表すデータの特徴に従って優先順位をソートすること、であってもよい。例えば、セルラネットワーク通信で生成されるセルラBSRが優先的に送信され、D2D通信で生成されるD2D BSRが後で送信される。一言で言うと、送信モジュール53は、第1のアップリンクリソース上で、事前設定優先順位規則に従ってBSR全体の一部を送信することができる。
【０１３０】
本実施形態によれば、基地局によって送信された第1のアップリンク・リソース・スケジューリング情報を受信した後で、UEがパディングBSRの報告をトリガし、UEが、第1のアップリンクリソースがアップリンクデータおよびMAC PDUを搬送した後で、残りのリソースはUEのBSR全体を搬送することができないと判定した場合、UEは事前設定優先順位規則に従って基地局へBSRを報告し、そのため、UEがパディングBSRの報告をトリガすると、UEは基地局へBSRを正しく送信することができる。
【０１３１】
さらに、図5に示す実施形態では、BSR優先順位規則は、セルラBSRの優先順位がD2D BSRの優先順位より高いこと、を含む。言い換えると、UEがパディングBSRの報告をトリガしたときに、セルラBSRとD2D BSRの両方がある場合、UEはセルラBSRを優先的に報告する。
【０１３２】
具体的には、本実施形態では、送信モジュール53が、事前設定優先順位規則に従って基地局へBSRを送信する特定の方法が提供される。UEのBSR全体はセルラBSRおよびD2D BSRを含み、すなわち、UEはセルラネットワーク通信とD2D通信の両方を行う。送信モジュール53は基地局へセルラBSRを優先的に送信し、すなわち、セルラBSRによって報告されたデータの量が0である場合、送信モジュール53は第1のアップリンクリソース上で基地局へD2D BSRを優先的に送信し、セルラBSRによって報告されたデータの量が0でない場合、送信モジュール53は第1のアップリンクリソース上で基地局へセルラBSRを優先的に送信する。
【０１３３】
図6は本発明の一実施形態による基地局の実施形態2の概略的構造図である。図6に示すように、本実施形態の基地局は、送信モジュール61と、受信モジュール62とを含む。
【０１３４】
送信モジュール61はUEへ第1のアップリンク・リソース・スケジューリング情報を送信するように構成されており、第1のアップリンク・リソース・スケジューリング情報はUEに割り振られた第1のアップリンクリソースを指示するのに用いられる。
【０１３５】
具体的には、本実施形態で提供される基地局は、基地局がリソーススケジューリング能力を有する限り、任意の無線通信システムにおける基地局とすることができる。本基地局は送信モジュール61を含み、送信モジュール61はUEへ第1のアップリンク・リソース・スケジューリング情報を送信するように構成されており、第1のアップリンク・リソース・スケジューリング情報はUEに割り振られた第1のアップリンクリソースを指示するのに用いられ、第1のアップリンクリソースはUEによって送信されたアップリンクデータを搬送するのに用いられる。本実施形態の基地局は処理モジュール63をさらに含み、処理モジュール63はUEに割り振られる第1のアップリンクリソースを決定するように構成されている。
【０１３６】
受信モジュール62は、第1のアップリンクリソース上で、事前設定BSR優先順位規則に従って基地局へUEによって送信されたBSRを受信するように構成されており、BSRは、UEがアップリンクリソースはアップリンクデータおよびMAC PDUを搬送した後で残りのリソースがUEのBSR全体を搬送することができないと判定した後で送信される。
【０１３７】
具体的には、本実施形態の基地局は図5に示す実施形態のUEによって報告されたBSRを受信するように構成されている。図5に示す実施形態のUEは、図2に示すセルラネットワークにおけるパディングBSRを報告する方法と同様の方法を用い、したがって、第1のアップリンクリソース上で、UEはBSRのみならずアップリンクデータも送信する。受信モジュール63は、第1のアップリンクリソース上で、UEによって送信されたアップリンクデータおよびUEによって送信されたBSRを受信する。
【０１３８】
受信モジュール62が、第1のアップリンクリソース上で、BSRを受信した後で、処理モジュール63はBSRに対して、BSRがセルラBSRであるかそれともD2D BSRであるかの判定を行う。受信モジュール63によって受信されたBSRがD2D BSRである場合、処理モジュール62はUEに対応するセルラBSRのデータ量が0である、すなわち、UEには送信すべきセルラネットワーク通信データがないと判定する。
【０１３９】
本実施形態によれば、基地局によって送信された第1のアップリンク・リソース・スケジューリング情報を受信した後で、UEがパディングBSRをトリガし、UEが第1のアップリンクリソースがアップリンクデータおよびMAC PDUを搬送した後で、残りのリソースはUEのBSR全体を搬送することができないと判定した場合、UEは事前設定優先順位規則に従って基地局へBSRを報告し、そのため、UEがパディングBSRの報告をトリガすると、UEは基地局へBSRを正しく送信することができる。
【０１４０】
さらに、図6に示す実施形態では、BSR優先順位規則は、セルラBSRの優先順位がD2D BSRの優先順位より高いこと、を含む。
【０１４１】
図7は本発明の一実施形態によるバッファ状態報告を報告するための方法の実施形態1の流れ図である。図7に示すように、本実施形態の方法は以下を含む。
【０１４２】
ステップS701．UEが基地局によって送信された第1のアップリンク・リソース・スケジューリング情報を受信し、第1のアップリンク・リソース・スケジューリング情報はUEに割り振られた第1のアップリンクリソースを指示するのに用いられる。
【０１４３】
ステップS702．第1のアップリンクリソースがUEのBSR全体を搬送することができない場合、UEは第1のアップリンクリソース上で基地局へUEのBSR全体の第1の部分を送信し、第1の部分はUEのBSR全体を含まない。
【０１４４】
ステップS703．UEは基地局によって送信された第2のアップリンク・リソース・スケジューリング情報を受信し、第2のアップリンク・リソース・スケジューリング情報はUEに割り振られた第2のアップリンクリソースを指示するのに用いられる。
【０１４５】
ステップS704．UEは第2のアップリンクリソース上で基地局へUEのBSR全体の第2の部分を送信する。
【０１４６】
本実施形態のバッファ状態報告を報告するための方法は、図3に示すユーザ機器による処理を実施するのに用いられ、本方法の実行原理および技術的効果はユーザ機器の実行原理および技術的効果と同様であり、ここではそれらを繰り返さない。
【０１４７】
さらに、図7に示す実施形態では、第2の部分は第1の部分を除くUEのBSR全体の他の部分を含み、または第2の部分はUEのBSR全体を含む。
【０１４８】
さらに、図7に示す実施形態では、UEが、基地局によって送信された第2のアップリンク・リソース・スケジューリング情報を受信する前に、本方法は、UEが基地局へ、送信されたのがBSR全体ではないことを指示する情報を送信するステップ、をさらに含む。
【０１４９】
さらに、図7に示す実施形態では、送信されたのがBSR全体ではないことを指示する情報は、残りのBSRの指示情報および残りのBSRの容量情報のうちの少なくとも1つを含む。
【０１５０】
さらに、図7に示す実施形態では、UEが、基地局によって送信された第1のアップリンク・リソース・スケジューリング情報を受信するステップは、UEが、基地局によって周期的に送信される第1のアップリンク・リソース・スケジューリング情報を受信するステップ、を含む。
【０１５１】
図8は、本発明の一実施形態によるバッファ状態報告を報告するための方法の実施形態2の流れ図である。図8に示すように、本実施形態の方法は以下を含む。
【０１５２】
ステップS801．UEがSRの報告をトリガし、基地局へ第1のSRを送信し、SRはUEが正規BSRの報告をトリガしたときにUEのBSRを送信するのに用いられるアップリンクリソースがない場合にトリガされる。
【０１５３】
ステップS802．UEは基地局によって送信された第1のアップリンク・リソース・スケジューリング情報を受信し、第1のアップリンク・リソース・スケジューリング情報はUEに割り振られた第1のアップリンクリソースを指示するのに用いられる。
【０１５４】
ステップS803．第1のアップリンクリソースがUEのBSR全体を搬送することができない場合、UEは第1のアップリンクリソース上で基地局へUEのBSR全体の第1の部分を送信し、第1の部分はUEのBSR全体を含まない。
【０１５５】
ステップS804．UEは基地局によって送信された第2のアップリンク・リソース・スケジューリング情報を受信し、第2のアップリンク・リソース・スケジューリング情報はUEに割り振られた第2のアップリンクリソースを指示するのに用いられる。
【０１５６】
ステップS805．UEは第2のアップリンクリソース上で基地局へUEのBSR全体の第2の部分を送信する。
【０１５７】
さらに、図8に示す実施形態では、UEが正規BSRの報告をトリガするステップは、
UEが自律リソース選択モードから基地局ベースのリソース・スケジューリング・モードに切り替わったときに、UEの現在のD2D論理チャネル上に送信すべきデータがある場合に、UEが、正規BSRの報告をトリガするステップ、
を含む。
【０１５８】
さらに、図8に示す実施形態では、UEが、基地局によって送信された第2のアップリンク・リソース・スケジューリング情報を受信するステップの前に、本方法は、
UEが、基地局へ第2のSRを送信するステップ、
をさらに含む。
【０１５９】
さらに、図8に示す実施形態では、UEが基地局へUEのBSR全体を送信し終えたときに、UEはすでにトリガしたSRの報告または正規BSRの報告を取り消す。
【０１６０】
さらに、図8に示す実施形態では、UEが基地局ベースのリソース・スケジューリング・モードから自律リソース選択モードに切り替わったときに、UEは、SRの、すでにトリガされている、D2Dリソース要求に用いられる報告を取り消し、SRの、D2Dリソース要求に用いられる報告は、D2D BSRの報告がトリガされた後で、D2D BSRを送信するアップリンクリソースがないときにトリガされる、SRの報告をいう。
【０１６１】
さらに、図7または図8に示す実施形態では、UEが基地局ベースのリソース・スケジューリング・モードから自律リソース選択モードに切り替わったときに、UEはすでにトリガしたBSRの報告を取り消す。
【０１６２】
さらに、図7または図8に示す実施形態では、UEが基地局ベースのリソース・スケジューリング・モードから自律リソース選択モードに切り替わったときに、UEは、すでにトリガされている、D2Dリソース要求に用いられるランダム・アクセス・プロセスを取り消し、D2Dリソース要求に用いられるランダムアクセスは、D2D BSRの報告がトリガされた後で、D2D BSRを送信するアップリンクリソースがなく、SRを送信するためのPUCCHがUEのために構成されていないときにトリガされるランダム・アクセス・プロセスをいい、すでにトリガされている、D2Dリソース要求に用いられるランダム・アクセス・プロセスを取り消すステップは、Preambleコードの送信を取り消す動作、MSG3の送信を取り消す動作、およびランダム・アクセス・プロセスを終了し、ランダム・アクセス・プロセスが正常に完了したとみなす動作、のうちの少なくとも1つを含む。
【０１６３】
さらに、図7または図8に示す実施形態では、BSRはD2D BSRを含む。
【０１６４】
図9は、本発明の一実施形態によるバッファ状態報告を報告するための方法の実施形態3の流れ図である。図9に示すように、本実施形態の方法は以下を含む。
【０１６５】
ステップS901．基地局がUEへ第1のアップリンク・リソース・スケジューリング情報を送信し、第1のアップリンク・リソース・スケジューリング情報はUEに割り振られた第1のアップリンクリソースを指示するのに用いられる。
【０１６６】
ステップS902．第1のアップリンクリソースがUEのBSR全体を搬送することができない場合、基地局は、UEのBSR全体の、第1のアップリンクリソース上でUEによって送信された第1の部分を受信し、第1の部分はUEのBSR全体を含まない。
【０１６７】
ステップS903．基地局はUEへ第2のアップリンク・リソース・スケジューリング情報を送信し、第2のアップリンク・リソース・スケジューリング情報はUEに割り振られた第2のアップリンクリソースを指示するのに用いられる。
【０１６８】
ステップS904．基地局は、UEのBSR全体の、第2のアップリンクリソース上でUEによって送信された第2の部分を受信する。
【０１６９】
本実施形態のバッファ状態報告を報告するための方法は、図4に示す基地局による処理を実施するのに用いられ、本方法の実行原理および技術的効果は基地局の実行原理および技術的効果と同様であり、ここではそれらを繰り返さない。
【０１７０】
さらに、図9に示す実施形態では、第2の部分は第1の部分を除くUEのBSR全体の他の部分を含み、または第2の部分はUEのBSR全体を含む。
【０１７１】
さらに、図9に示す実施形態では、基地局が、UEへ第2のアップリンク・リソース・スケジューリング情報を送信するステップの前に、本方法は、
基地局が、UEによって送信された、送信されたのがBSR全体ではないことを指示する情報を受信するステップ、
をさらに含む。
【０１７２】
さらに、図9に示す実施形態では、送信されたのがBSR全体ではないことを指示する情報は、残りのBSRの指示情報および残りのBSRの容量情報のうちの少なくとも1つを含む。
【０１７３】
さらに、図9に示す実施形態では、基地局が、UEへ第1のアップリンク・リソース・スケジューリング情報を送信するステップは、
基地局が、UEへ第1のアップリンク・リソース・スケジューリング情報を周期的に送信するステップ、
を含む。
【０１７４】
図10は本発明の一実施形態によるバッファ状態報告を報告するための方法の実施形態4の流れ図である。図10に示すように、本実施形態の方法は以下を含む。
【０１７５】
ステップS1001．基地局がUEによって送信された第1のSRを受信し、第1のSRはUEが正規BSRの報告をトリガしたときにUEのBSRを送信するのに用いられるアップリンクリソースがない場合にSRの報告がトリガされた後で送信される。
【０１７６】
ステップS1002．基地局はUEへ第1のアップリンク・リソース・スケジューリング情報を送信し、第1のアップリンク・リソース・スケジューリング情報はUEに割り振られた第1のアップリンクリソースを指示するのに用いられる。
【０１７７】
ステップS1003．第1のアップリンクリソースがUEのBSR全体を搬送することができない場合、基地局は、UEのBSR全体の、第1のアップリンクリソース上でUEによって送信された第1の部分を受信し、第1の部分はUEのBSR全体を含まない。
【０１７８】
ステップS1004．基地局はUEへ第2のアップリンク・リソース・スケジューリング情報を送信し、第2のアップリンク・リソース・スケジューリング情報はUEに割り振られた第2のアップリンクリソースを指示するのに用いられる。
【０１７９】
ステップS1005．基地局は、UEのBSR全体の、第2のアップリンクリソース上でUEによって送信された第2の部分を受信する。
【０１８０】
さらに、図10に示す実施形態では、基地局が、UEへ第2のアップリンク・リソース・スケジューリング情報を送信するステップの前に、本方法は、
基地局が、UEによって送信された第2のSRを受信するステップ、
をさらに含む。
【０１８１】
さらに、図9または図10に示す実施形態では、BSRはD2D BSRを含む。
【０１８２】
図11は、本発明の一実施形態によるバッファ状態報告を報告するための方法の実施形態5の流れ図である。図11に示すように、本実施形態の方法は以下を含む。
【０１８３】
ステップS1101．UEが基地局によって送信された第1のアップリンク・リソース・スケジューリング情報を受信し、第1のアップリンク・リソース・スケジューリング情報はUEに割り振られた第1のアップリンクリソースを指示するのに用いられる。
【０１８４】
ステップS1102．UEがBSRのパディング報告をトリガし、第1のアップリンクリソースがアップリンクデータおよびMAC PDUを搬送した後で残りのリソースがUEのBSR全体を搬送することができない場合、UEは事前設定BSR優先順位規則に従って基地局へBSRを送信する。
【０１８５】
本実施形態のバッファ状態報告を報告するための方法は、図5に示すユーザ機器による処理を実施するのに用いられ、本方法の実行原理および技術的効果はユーザ機器の実行原理および技術的効果と同様であり、ここではそれらを繰り返さない。
【０１８６】
さらに、図11に示す実施形態では、BSR優先順位規則は、セルラBSRの優先順位がデバイス・ツー・デバイスD2D BSRの優先順位より高いこと、を含む。
【０１８７】
さらに、図11に示す実施形態では、UEのBSR全体はセルラBSRおよびD2D BSRを含み、UEが、事前設定BSR優先順位規則に従って基地局へBSRを送信するステップは、セルラBSRによって報告されたデータの量が0である場合、UEは第1のアップリンクリソース上で基地局へD2D BSRを優先的に送信し、セルラBSRによって報告されたデータの量が0でない場合、UEは第1のアップリンクリソース上で基地局へセルラBSRを優先的に送信すること、を含む。
【０１８８】
図12は、本発明の一実施形態によるバッファ状態報告を報告するための方法の実施形態6の流れ図である。図12に示すように、本実施形態の方法は以下を含む。
【０１８９】
ステップS1201．基地局がUEへ第1のアップリンク・リソース・スケジューリング情報を送信し、第1のアップリンク・リソース・スケジューリング情報はUEに割り振られた第1のアップリンクリソースを指示するのに用いられる。
【０１９０】
ステップS1202．アップリンクリソースがアップリンクデータおよびMAC PDUを搬送した後で残りのリソースがUEのBSR全体を搬送することができない場合、基地局は、第1のアップリンクリソース上で、事前設定BSR優先順位規則に従ってUEによって基地局へ送信されたBSRを受信する。
【０１９１】
本実施形態のバッファ状態報告を報告するための方法は、図6に示す基地局による処理を実施するのに用いられ、本方法の実行原理および技術的効果は基地局の実行原理および技術的効果と同様であり、ここではそれらを繰り返さない。
【０１９２】
さらに、図12に示す実施形態では、BSR優先順位規則は、セルラBSRの優先順位がD2D BSRの優先順位より高いこと、を含む。
【０１９３】
さらに、図12に示す実施形態では、基地局が第1のアップリンクリソース上でD2D BSRのみを受信した場合、基地局は、UEに対応するセルラBSRのデータ量は0であると判定する。
【０１９４】
本発明の実施形態における受信モジュール31および受信モジュール51はユーザ機器の受信機に対応していてもよく、ユーザ機器の送受信機に対応していてもよいことに留意すべきである。処理モジュール32または処理モジュール52はユーザ機器のプロセッサに対応していてよく、本発明のプロセッサは、中央処理装置（central processing unit、CPU）であっても、特定用途向け集積回路（Application Specific Integrated Circuit、ASIC）であっても、本発明の実施形態を実施するための1つまたは複数の集積回路であってもよい。送信モジュール33または送信モジュール53はユーザ機器の送信機に対応していてもよく、ユーザ機器の送受信機に対応していてもよい。ユーザ機器はメモリをさらに含んでいてよく、メモリは命令コードを記憶するように構成されており、プロセッサは、メモリ内の命令コードを呼び出すことにより、前述の動作を行うように受信モジュール31もしくは受信モジュール51または送信モジュール33もしくは送信モジュール53を制御する。
【０１９５】
本発明の実施形態における送信モジュール41または送信モジュール61は、基地局の送信機に対応していてもよく、基地局の送受信機に対応していてもよい。処理モジュール42または処理モジュール63は基地局のプロセッサに対応していてよく、本発明のプロセッサは、CPUであっても、ASICであっても、本発明の実施形態を実施するための1つまたは複数の集積回路であってもよい。受信モジュール43または受信モジュール62は、基地局の受信機に対応していてもよく、基地局の送受信機に対応していてもよい。基地局はメモリをさらに含んでいてもよく、メモリは命令コードを記憶するように構成されており、プロセッサは、メモリ内の命令コードを呼び出すことにより、前述の動作を行うように送信モジュール41もしくは送信モジュール61または受信モジュール43もしくは受信モジュール62を制御する。
【０１９６】
当業者は、方法実施形態の各ステップの全部または一部を関連ハードウェアに命令するプログラムによって実現することができることを理解するであろう。プログラムはコンピュータ可読記憶媒体に記憶することができる。プログラムが動作すると、方法実施形態の各ステップが行われる。前述の記憶媒体は、ROM、RAM、磁気ディスク、光ディスクといった、プログラムコードを記憶することのできる任意の媒体を含む。
【０１９７】
最後に、前述の実施形態は単に本発明の技術的解決策を説明するためのものにすぎず、本発明を限定するためのものではないことに留意すべきである。本発明は前述の実施形態に関連して詳細に説明されているが、当業者は、前述の実施形態で記述されている技術的解決策にさらに改変を加え、あるいは前述の実施形態の一部または全部の技術的特徴に対する等価の置換を行うことができることを理解するはずである。したがって、本発明の保護範囲は特許請求の範囲の保護範囲に従うべきものとする。
【符号の説明】
【０１９８】
31  受信モジュール
32  処理モジュール
33  送信モジュール
41  送信モジュール
42  処理モジュール
43  受信モジュール
51  受信モジュール
52  処理モジュール
53  送信モジュール
61  送信モジュール
62  受信モジュール
63  処理モジュール
【図１】
0006399328.tif 000002
【図２】
0006399328.tif 000003
【図３】
0006399328.tif 000004
【図４】
0006399328.tif 000005
【図５】
0006399328.tif 000006
【図６】
0006399328.tif 000007
【図７】
0006399328.tif 000008
【図８】
0006399328.tif 000009
【図９】
0006399328.tif 000010
【図１０】
0006399328.tif 000011
【図１１】
0006399328.tif 000012
【図１２】
0006399328.tif 000013